(57)【要約】【課題】施錠したドアを開放することなく、宅配便や書留などを受け取るための押印や署名のできる防犯ドアを提供する。【解決手段】ドア本体１には書類受渡用小窓２が設けられ、該小窓２の下縁部には板状部材３が起立転倒可能に取り付けられ、該板状部材３は起立状態では係止されて小窓２を閉鎖し、転倒状態では板状部材３の下側に取り付けられた支持部材４によりほぼ水平に支持されて、押印や署名を行うための台となる構造の防犯ドア。【選択図】図１
0003167664.tif 000002
【実用新案登録請求の範囲】
【請求項１】
ドア本体には書類受渡用小窓が設けられ、該小窓の下縁部には板状部材が起立転倒可能に取り付けられ、該板状部材は起立状態では係止されて小窓を閉鎖し、転倒状態では板状部材の下側に取り付けられた支持部材によりほぼ水平に支持されて、押印や署名を行うための台となる構造の防犯ドア。
【請求項２】
前記支持部材は、ほぼ直角三角形板状であり、ドア本体または板状部材の下面に一方の隣辺を回転軸として開閉可能に取り付けられ、ドア本体または板状部材とほぼ直交させることにより、他方の隣辺で板状部材をほぼ水平に支持できる構造であることを特徴とする請求項１に記載の防犯ドア。
【請求項３】
前記支持部材は、板状部材と一体化して断面形状がＬ字形となるように取り付けられ、板状部材はＬ字形の角部を軸として回転可能に取り付けられ、起立転倒可能となっている構造であることを特徴とする請求項１に記載の防犯ドア。
【請求項４】
書類受渡用小窓は、アーチ状の上縁部と直線状の下縁部とからなる形状であることを特徴とする請求項１〜３のいずれかに記載の防犯ドア。
【考案の詳細な説明】
【技術分野】
【０００１】
本考案は、ドアに小窓を設けて、宅配便業者や郵便物配達員などの来訪者に対してドアを全面開放することなく、住居人はドアを閉じたまま来訪者からの配達物の受領や伝票等への押印ないしは署名などを行うことができるドアに関する。
【背景技術】
【０００２】
近年の犯罪の多くにおいて、犯罪者が予め宅配便などを装って、一戸建て住宅あるいは集合住宅を訪れて、宅配便業者などに成り済まし、来訪者確認用覗き穴あるいはテレビモニター付きインターホンによりその装いを確認させて、住居人に安心感を与えて、ドアを全面開放させ住居内部に入り込み犯罪行為に及ぶ事例が後を絶たない。そうした犯罪を未然に防止するためには、施錠したドアを開放することなく、配達物の受け取りや伝票への押印、署名が行えるように配慮することが大切である。
【０００３】
通常、住宅の玄関のドアには、来訪者を確認するための覗き穴やモニター付きのインターホンの他にも、ドアの下部に配達物を受け取るための郵便受けなども設けられているがこれは不在時などの受け取りであって、受け取りに際して押印や署名の必要な宅配便や書留などは受け取ることができない。前記したような犯罪はこのような構造を逆手に取った犯罪である。そのため、前記のように施錠したドアを開放することなく、宅配便や書留などを受け取るための押印や署名のできるドアが望まれていた。
【考案の概要】
【考案が解決しようとする課題】
【０００４】
本考案の課題は、施錠したドアを開放することなく、宅配便や書留などを受け取るための押印や署名のできる防犯ドアを提供することである。
【課題を解決するための手段】
【０００５】
本考案の防犯ドアは、ドア本体には書類受渡用小窓が設けられ、該小窓の下縁部には板状部材が起立転倒可能に取り付けられ、該板状部材は起立状態では係止されて小窓を閉鎖し、転倒状態では板状部材の下側に取り付けられた支持部材によりほぼ水平に支持されて、押印や署名を行うための台となる構造の防犯ドアである。
【０００６】
また、前記支持部材は、ほぼ直角三角形板状であり、ドア本体または板状部材の下面に一方の隣辺を回転軸として開閉可能に取り付けられ、ドア本体または板状部材とほぼ直交させることにより、他方の隣辺で板状部材をほぼ水平に支持できる構造であることや、前記支持部材は、板状部材と一体化して断面形状がＬ字形となるように取り付けられ、Ｌ字形の角部を軸として回転可能に取り付けられ、板状部材が起立転倒可能となっている構造であることが好ましい。
【０００７】
さらに、上記書類受渡用小窓はアーチ状の上縁部と直線状の下縁部とからなる形状であることが好ましい。
【考案の効果】
【０００８】
本考案の防犯ドアでは、板状部材の下側に支持部材が取り付けられているために、書類受渡用小窓を閉鎖している板状部材を転倒させ小窓を開放すると共に、簡単に水平に保つことができ、押印や署名のできる台とすることができる。そのため、ドア本体を開放することなく、書類受渡用小窓を通じて伝票や領収書をやり取し、押印や署名ができ、宅配便や書留などを受け取ることができる。
【０００９】
また、板状部材を水平に保持するための支持部材は、屈曲可能なアームや鎖など上側で引張し支持する部材ではなく、板状部材の下側に取り付けられて支持するものであるために、押印や署名を行う作業の妨げにならない。書類受渡用小窓は防犯上の観点より大きくできず、板状部材も小さいものとなり、上側に支持部材が存在すると作業が著しく妨げられる。
【００１０】
さらに、支持部材を開閉可能に取り付けることで、板状部材を押印や署名を行う台として使用せず、書類受渡用小窓の閉鎖に使用しているときには、支持部材を閉じてドア本体や板状部材に重ね合わせて、ドア本体からの突起物がない状態にして、住居人のドア付近での移動や行動の邪魔にならないようにできる。
【００１１】
書類受渡用小窓はドアの外側まで貫通しているため、小窓の形状として、上縁部をアーチ状とすることで、外側から室内を見る視野を限定することができる。また、単純な矩形よりも見栄えがよくなる。そして、このアーチ状の上縁部に装飾を施し、一層見栄えをよくすることも可能である。
【図面の簡単な説明】
【００１２】
【図１】本考案の防犯ドアの室内からの斜視説明図である。
【図２】本考案の防犯ドアの室内からの正面説明図である。
【図３】図１と図２に示した防犯ドアの断面説明図である。
【図４】支持部材を板状部材に取り付けた防犯ドアの断面説明図である。
【図５】支持部材を板状部材にＬ字形に一体化した防犯ドアの室内からの斜視説明図である。
【図６】図５に示した防犯ドアの室内からの正面説明図である。
【図７】アームを用いて板状部材を上側から支持している防犯ドアの斜視参考図である。
【考案を実施するための形態】
【００１３】
以下、本考案の実施例を図に基づき詳細に説明する。
【００１４】
図１は本考案の防犯ドアの室内からの斜視説明図であり、（ａ）は板状部材３がほぼ水平に支持され、押印や署名などを行う台となっている状態を示し、（ｂ）は板状部材３が起立状態で係止され、書類受渡用小窓２を閉鎖している状態を示している。板状部材３はドア本体１に設けられた書類受渡用小窓２の下縁部に、蝶番８で起立転倒可能に取り付けられており、（ａ）の状態では、支持部材４により下側から支持され、ほぼ水平になっている。（ｂ）の起立状態では、ラッチボルト５と受座６により係止され、書類受渡用小窓２を閉鎖しており、板状部材３と同様に開閉可能なように、ドア本体１に一方の隣辺が取り付けられた支持部材４は閉じられ、ドア本体１に密着させられている。（ｂ）の状態から（ａ）の状態とするには、支持部材４を引き起こして点線で示したように、ドア本体とほぼ直交させ、次いで、つまみ７によりラッチボルト５と受座６との係止を外して、板状部材３を倒し、支持部材４の他方の隣辺にて支持させてほぼ水平状態とする。
【００１５】
図２は図１の室内から見た正面図であり、板状部材３は蝶番８により起立転倒可能に取り付けられ、支持部材４は蝶番９により、一方の隣辺を回転軸として開閉可能にドア本体１に取り付けられている。図３は図１と図２の断面図である。図１や図２に示されるように書類受渡用小窓２の上縁部はアーチ状で下縁部は直線状の形状であり、ドア本体１を室内から室外へ付きぬけた開口部となっている。また、板状部材３を起立させて係止するための係止具として、板状部材３の先端に、バネで突出力を付勢されて埋め込まれたラッチボルト５と受座６との組合せを用いている。板状部材３を起立させてドア本体１に押し付ければ、ノッチボルト５は受座６の孔に入り込み、係止することができる。係止を外すには、つまみ７によりノッチボルト５を引き込むことにより、受座６から外すことができる。
【００１６】
図１〜３に示される支持部材４は、ほぼ直角三角板形であり、ドア本体１に一方の隣辺を回転軸として開閉可能に取り付けられ、引き起こしてドア本体１と直交させることにより、他方の隣辺で板状部材３をほぼ水平に支持する構造となっている。図４には、支持部材４を板状部材３の下面に取り付けた形態を示しており、支持部材４は板状部材３の下面に一方の隣辺を回転軸として開閉可能に取り付けられ、引き起こしてこの両部材を直交させることで、支持部材４の他方の隣辺がドア本体１に押し付けられ、板状部材３をほぼ水平に支持する構造となっている。（ｃ）は書類受渡用小窓２を板状部材３により閉鎖している状態を示し、このとき支持部材４は閉じられて、板状部材３と重ね合わせられている。（ｄ）はつまみ７により係止を外し、書類受渡用小窓２を開いた状態を示し、支持部材４は引き起こされて板状部材３と直交させられ、ドア本体１と板状部材３と間を支えて、板状部材３を水平に保ち押印や署名を行える台としている。
【００１７】
また、支持部材４は図１〜４に示したような直角三角板形だけでなく、斜辺を内側にアーチ状などとして変形させたものでも差し支えない。そしてこれらの形態では、一つの支持部材３で板状部材４の中央を支える構造としたが、二つの支持部材を用いて、板状部材３の両端部で支える構造としてもよい。
【００１８】
図５および図６は本考案の別の形態を示し、支持部材１１が板状部材３と一体化して断面形状がＬ字形となるように取り付けられ、このＬ字形の角部１４を軸として、板状部材３はドア本体１に回転可能に取り付けられ、板状部材３が起立転倒可能となっている。支持部材１１が取り付けられた板状部材３はＬ字形角部１４を軸として回転可能であり、取り付け具１６によりドア本体に取り付けられた軸部材１５に取り付け、回転可能としている。この場合、取り付け具１６に軸受を設けて、軸部材１５自体を回転可能とし、Ｌ字形の角部１４を軸部材１５に固定する形態としてもよいし、軸部材１５は固定軸とし、Ｌ字形の角部１４を筒状に加工して、この筒に軸部材１５を摺動可能に挿入して回転可能としてもよい。さらには、Ｌ字形の角部１４に蝶番を設置して、回転可能としてもよい。
【００１９】
図５の（ｅ）は書類受渡用小窓２を開いた状態で、板状部材３はＬ字形に一体して取り付けられた支持部材１１により支持され、ほぼ水平に保たれる。（ｆ）は板状部材３を起立させ、係止具１２と１３により係止し、書類受渡用小窓２を閉鎖している状態を示している。図６は（ｆ）の状態での正面説明図である。
【００２０】
前記図１〜４に示した形態では、木製の板材などが好ましく使用されるが、図６に示す形態では、板状部材３はＬ字形に一体化して取り付けられた支持部材１１により水平に支持されるため、両者は強固に一体化されていることが望ましく、製作に用いられる素材は金属が望ましく、ステンレススチール、鋼鉄、アルミニウム合金などを加工したものが好ましい。また、プラスチックを用いて一体成形したものも用いることができる。
【００２１】
以上説明した形態では、板状部材や係止具等を直接ドア本体に直接取り付ける形態で説明したが、これらの部材を書類受渡用小窓と一致する開口部が設けられた鋼鉄等の支持板に取り付け、この支持板をドア本体に取り付けた形態であってもよい。
【００２２】
以上、図１〜６に示すように、本考案の板状部材は下側に設けた支持部材により、水平に支持される。しかし、図７に示すように、支持アーム２０により、上側から支持することでも、板状部材３を水平に支えることができる。しかしこの形態では、支持アーム２０の存在が、支持部材３の上で押印や署名を行う際に邪魔になり、この形態は好ましくない。
【産業上の利用可能性】
【００２３】
本考案の防犯ドアは、戸建て、集合住宅に係わらず住宅の玄関ドアにとして用いることができ、新築に際して設置するのみだけでなく、既存のドアを加工して本考案の防犯ドアに変更することも可能である。
【符号の説明】
【００２４】
１    ドア本体
２    書類受渡用小窓
３    板状部材
４    支持部材
５    ラッチボルト
６    受座
７    つまみ
８、９    蝶番
１１    支持部材
１２、１３    係止具
１４    Ｌ字形の角部
１５    軸
１６    取り付け具
２０    支持アーム
【図１】
0003167664.tif 000003
【図２】
0003167664.tif 000004
【図３】
0003167664.tif 000005
【図４】
0003167664.tif 000006
【図５】
0003167664.tif 000007
【図６】
0003167664.tif 000008
【図７】
0003167664.tif 000009